(57)【要約】【課題】粉塵やガス等が昇降装置の内部に侵入するのを防止するようにした照明器具用電動昇降装置を提供する。【解決手段】本発明の照明器具用電動昇降装置は、昇降部９のカバー２・３の上端部に溝１５Ｃを設ける。上記の通り、昇降部のカバー２・３に溝１５Ｃを設けた照明器具用電動昇降装置は、本体１側の外郭部と昇降部９のカバー２・３が接触した時に、本体１内部は密閉するように形成されているので、照明器具使用時には接点、ワイヤロープ６、マイクロスイッチなどを外気から隔離し、粉塵やガス等が侵入するのを防止し、接点２０・２１の接触不良や接触部の酸化を防止することができる。【選択図】    図１
2004158401.tif 000002
【特許請求の範囲】
【請求項１】
昇降用のリバーシブルモータと、リバーシブルモータの主軸に設けたワイヤロープを巻き取るドラムと、昇降部を上昇・下降させるワイヤロープと、ワイヤロープの配設方向を変える複数のプーリと、照明器具を取り付ける昇降部と、昇降部を本体に案内し収納する案内ケースと、昇降部を本体に固定する係止片と、照明器具へ通電させる本体側の固定接点と、昇降部の上面の可動接点と、固定接点と可動接点を一定の接触圧で接触させるコイルバネと、接点取付台と、本体装置を覆う上カバーと下カバーと、昇降部が本体に収納された時に昇降部を密閉する丸形状のカバーを設けた電動昇降装置において、
本体に接触するカバーの端部に溝を設けたことを特徴とする電動昇降装置。
【発明の詳細な説明】
【０００１】
【発明の属する技術分野】
本発明は、ごみ処理場等粉塵やガスが発生する環境で、高い天井に取り付けられる電動昇降装置に関するものである。
【０００２】
【従来の技術】
ＨＩＤランプを用いた照明器具はランプ光束が大きいことから、一般に高い天井に取り付けられる。ランプ交換や反射笠の清掃時には、照明器具を床面に下ろす必要がある。この照明器具の昇降用として、電動昇降装置が使用されている。電動昇降装置の本体部には、リバーシブルモータとドラムとワイヤロープと複数のプーリのマイクロスイッチと固定接点等が内蔵されている。また昇降部は、照明器具取付部と上面には可動接点等を有し、ワイヤロープによって吊り下げられている。操作スイッチにより昇降部が昇降動作するが、上昇させると昇降部は本体の内部に収納され、ランプが点灯可能になる。ごみ処理場等粉塵が多く、ガスが発生する環境では、本体外郭部を耐食性に優れたステンレス鋼や金属の表面を塗装した材料や樹脂等により密閉し、昇降部にはゴム弾性を有した材料から成るカバーを取り付け、昇降部が本体の内部に収納・固定された時、本体内部は密閉され、接点、ワイヤロープ、マイクロスイッチなどの部品が粉塵やガスに触れない構
造になっている。
【０００３】
【発明が解決しようとする課題】
しかしながら上記のような従来の電動昇降装置では、昇降部と本体部の収納ケースとの間には円滑な動作をさせるため０．５ＭＭから１ＭＭ程度の隙間を設けている。また、昇降部の覆いはゴム弾性を有した、肉厚２ＭＭから３ＭＭ程度の材料からなっており、昇降動作を行うと昇降部のカバーは元の位置に収納することが困難であり、少しずれた位置に収納される可能性がある。ごみ処理場等のような粉塵の多い使用環境では、本体外郭部に粉塵が付着してしまい、昇降部のカバーの上端部が粉塵が固着した本体外郭面と接触すると、本体と昇降部のカバーの間に隙間が生じ、粉塵が中に侵入して接点部の接触不良の原因となる。
そこで、本発明の目的は粉塵やガス等が昇降装置の内部に侵入するのを防止するようにした照明器具用電動昇降装置を提供することにある。
【０００４】
【課題を解決するための手段】
上記目的を達成するために、本発明の照明器具用電動昇降装置は、前記昇降部のカバーの上端部に溝を設けたことを特徴とするものである。
上記の通り、昇降部のカバーに溝を設けた照明器具用電動昇降装置は、本体側の外郭部と昇降部のカバーが接触した時に、本体内部は密閉するように形成されているので、照明器具使用時には接点、ワイヤロープ、マイクロスイッチなどを外気から隔離し、粉塵やガス等が侵入するのを防止し、接点の接触不良や接触部の酸化を防止することができる。
【０００５】
【発明の実施の形態】
本発明の実施形態を図１から図６により説明する。図１は本発明による照明器具用電動昇降装置の斜視図であり、昇降部が下降した状態を示している。昇降装置の機構部分を内蔵した本体部は、上カバーと下カバーと、その間に設けたゴムバツキンからなっており、昇降装置の機構部分が外気に触れない構造を成している。また、昇降部は操作スイッチによりモータを駆動させドラムを回転させることによりワイヤロープを巻き取って昇降動作を行い、円滑に昇降動作させるため昇降部と本体の収納部分には０．５ＭＭから１ＭＭ程度の隙間を設けている。外気が昇降装置の内部に侵入するのを防ぐため、昇降部に昇降部カバーを設け通常の使用状態では本体と昇降部の間を密閉する構造を成している。
図２は、図１の昇降部の構造を示した斜視図である。また、図３はその分解図である。昇降部９は、照明器具を取り付けるねじ９Ａとロック係止軸１８を固定する取付金具１７とロックを解除させる解除金具２２と、照明器具用ランプの電源を供給する可動接点２０と、本体内部に外気が侵入するのを防止する昇降部カバー１０からなっている。
図４は、本発明の要部である昇降部の昇降部カバーの断面を表したものである。昇降部カバー１０は昇降部９の下部に取り付けられ、照明器具の吊具フランジ部分と共にねじＡで締め付け昇降部９とフランジ部分を密閉する構造となっている。昇降部カバー１０は通常使用状態で本体部の下カバー３と密着させるため弾性力を利用して常時擁ませた状態で端部を密着させる。また昇降装置は落下防止機構を有しており、ロック及びロック解除を行うため、昇降部は通常使用時より１ＯＭＭ程度内部に可動する構造を成しているため、昇降部カバー１０は通常使用状態よりさらに操ませる必要が有る。昇降部カバー１０の端部は、その中央部に溝１ＯＡを設けることにより筒状の端部１ＯＢと端部１ＯＣとからなっており、通常使用状態で昇降部カバー１０がずれて端部１ＯＢと本体の下カバー３の間に隙間が出来た場合でも、端部１ＯＣと下カバー３は密着しており外気が内部に入らない構造をなしている。また、端部１ＯＢは、固着物を挟み込んだ場合に、擁みやすいように肉厚を薄く設定しており、端部１ＯＣは下カバー３と密着しやすいように、端面はアール形状で肉厚を厚めに設定している。
図５は、本発明の照明器具用電動昇降装置の構造を概略示した本体側の平面図を示している。また図６は、本発明の照明器具の電動昇降装置の構造を概略示した本体側の断面図を示している。
昇降装置の内部構造部品を搭載した本体は、上面を上カバー２でおおい、下部および側面部を下カバー３で覆っている。上カバー２に設けた電源供給用のキャブタイヤケーブルはコードブッシュにより密閉構造とし、建築物に取り付けるアームを固定するねじ部はシール材により隙間を埋めることによりシールしている。また、上カバ〉２はステンレス材を用いることにより、耐腐食性を保持している。下カバー３は丸形状であることから、アルミニウム板をへら絞り加工により成形した後、アクリル樹脂系の塗料を焼き付け塗装し、耐アルカリ性のガスに対しても保護している。さらに、上カバー２と下カバー３との接合部には、ゴムバツキンを設けることにより密閉性を保っている。昇降部９をおおう昇降部カバー１０を捷ませて下カバー２に密着させることにより、本体内部は外気と遮断される。本体１に取り付けられたリバーシブルモータ４と、その回転シャフトに設けられたドラム５は、昇降部９を昇降させるワイヤロープ６を巻き取る。ワイヤロープ６はプーリ７Ａ、７Ｂを介して昇降部９の内部に配設され、端部は本体２に固定した取付金具に回転可動するように固定されている。また本体２には昇降部案内ケース８がねじ止めされており、固定接点２１を取り付ける接点取付板１９を設けており、それを弾性的に保持する圧縮ばね２３により、上下に摺動可能な構造としている。昇降部案内ケース８は昇降部９を位置制御させるラッパ状の断面をし、平面的には小判形状の案内部分と、接点取付板１９を収納する部分とを有しており、ダイキャスト成形により製造されるものである。接点取付板１９を収納する部分の側面には、両側に溝を設けており、接点取付板１９の両側面に設けた突出部を増動案内するものである。上昇時、昇降部９は昇降部案内ケース８の案内部分にガイドされて上昇してくる。また、昇降部案内ケース８の底部には回転軸１３を支える溝を有しており、係止片１５、１６、トーションバネ１４を回転軸１３に組み込んで、底部の溝に挿入し、押え金具１３Ａ  により固定している。押え金具１３Ａには、穴１３Ｂ  を設けており、ロック時係止片１５Ａ、１５Ｂが穴１３Ｂ  に当たるので、係止片１５、１６は平行になり、これ以上閉じることがないように設定しているので、トーションバネ１４により常時閉じていても、係止軸１８の外径より溝１５Ｃは小さくなることはない。また上昇時、昇降部９が上昇し、昇降部９の径止軸１８が係止片１５，１６の下端部斜面に当たると、係止片１５，１６は斜面をすべりながら開き、係止軸１８が斜面を越えると係止用突起部を乗り越え、係止片１５，１６はトーションバネ１４により閉じる。
【０００８】
【発明の効果】
本発明は以上説明したように構成されているので、以下に記載されるような効果を奏する。昇降部カバーの端部に溝を設けたことにより筒状をなす端部１と端部２により、昇降動作を繰り返すことによって昇降部カバーの位置がずれた場合でも、粉塵などにより昇降部本体の下カバーに固着した粉塵の堆積物などにより端部２で隙間ができ密着しなくても、端部１は下カバーと密着するので、外気の粉塵やガスが昇降装置の内部に侵入するのを防止することができる。
【図面の簡単な説明】
【図１】本発明の照明器具用電動昇降装置の一実施例の全体を示した斜視図である。
【図２】図１の昇降部の分解図であるる。
【図３】本発明の照明器具用電動昇降装置の昇降部カバーの断面図である。
【図４】本発明の照明器具用電動昇降装置の構造を概略示した本体側の平面図である。
【図５】本発明の照明器具用電動昇降装置の構造を概略示した本体側の断面図である。
【符号の説明】
１：本体
２：上カバー
３：下カバー
４：リバーシブルモータ
５：ドラム
６：ワイヤロープ
７Ａ、Ｂ：プーリ
８：案内ケース
９：昇降部
１０：昇降部カバー
１１：ゴムバツキン
１２：取付アーム
１３：回転軸
１４：トーシヨンバネ
１５、１６：係止片
１７：取付金具
１８  増系止軸
１９：接点取付板
２０：可動接点
２１：固定接点
２２：解除金具
２３：圧縮コイルバネ
【図１】
2004158401.tif 000003
【図２】
2004158401.tif 000004
【図３】
2004158401.tif 000005
【図４】
2004158401.tif 000006
【図５】
2004158401.tif 000007
【図６】
2004158401.tif 000008
【手続補正書】
【提出日】平成15年1月10日(2003.1.10)
【手続補正１】
【補正対象書類名】明細書
【補正対象項目名】図面の簡単な説明
【補正方法】変更
【補正の内容】
【図面の簡単な説明】
【図１】本発明の照明器具用電動昇降装置の一実施例の全体を示した斜視図
である。
【図２】図１の昇降部の分解図であるる。
【図３】本発明の照明器具用電動昇降装置の昇降部カバーの断面図である。
【図４】本発明の照明器具用電動昇降装置の構造を概略示した本体側の平面図である。
【図５】本発明の照明器具用電動昇降装置の構造を概略示した本体側の平面図である。
【図６】本発明の照明器具用電動昇降装置の構造を概略示した本体側の断面図である。
【符号の説明】
１：本体
２：上カバー
３：下カバー
４：リバーシブルモータ
５：ドラム
６：ワイヤロープ
７Ａ、Ｂ：プーリ
８：案内ケース
９：昇降部
１０：昇降部カバー
１１：ゴムバツキン
１２：取付アーム
１３：回転軸
１４：トーシヨンバネ
１５、１６：係止片
１７：取付金具
１８  増系止軸
１９：接点取付板
２０：可動接点
２１：固定接点
２２：解除金具
２３：圧縮コイルバネ